(57)【要約】【課題】コネクタと絶縁電線との隙間に液体が侵入することを低コストかつ容易に低減する技術を提供する。【解決手段】コネクタハウジング２０に形成された端子収容室２２の各々には、絶縁電線１２の先端に取付けられた端子金具１４が挿入されている。カバー部材３０の屋根部３２は、コネクタハウジング２０の基端側から延び出る複数の絶縁電線１２における延出部分１２４の周囲のうち一部を覆う。カバー部材３０は、屋根部３２における延出部分１２４に対向する主面３２０に基端部が連結された複数の足部３４を備える。複数の足部３４のうち一部は、コネクタハウジング２０から延び出る複数の絶縁電線１２の隙間に差し込まれることで、カバー部材３０が複数の絶縁電線１２に取付けられる。【選択図】図１
2017195128.tif 000002
【特許請求の範囲】
【請求項１】
絶縁電線及びその絶縁電線の端部に取付けられた端子金具を含む複数の端子付電線と、
先端側からその反対の基端側に向けて貫通する空間であって、前記端子付電線各々の前記端子金具を内側に収容する端子収容室が形成されたコネクタハウジングと、
前記コネクタハウジングから延び出る複数の前記絶縁電線における延出部分の周囲のうち一部を覆う屋根部、及び、基端部が当該屋根部における複数の前記絶縁電線の前記延出部分に対向する面に連結された１つ以上の足部を備えるカバー部材と、
を備え、
前記１つ以上の足部のうち少なくとも一部が、前記コネクタハウジングから延び出る複数の前記絶縁電線の間に通されている、コネクタ付電線。
【請求項２】
請求項１のコネクタ付電線であって、
前記カバー部材は、前記足部を相互に間隔をあけて複数有する、コネクタ付電線。
【請求項３】
請求項２のコネクタ付電線であって、
前記足部各々が、互いに接近又は離隔する方向に弾性変形可能である、コネクタ付電線。
【請求項４】
請求項１から請求項３のいずれか１項のコネクタ付電線であって、
前記足部の先端部が中間部よりも細い、コネクタ付電線。
【請求項５】
請求項１から請求項４のいずれか１項のコネクタ付電線であって、
前記カバー部材の前記屋根部は、一端側の部分が前記コネクタハウジングのうち少なくとも一部を覆い、他端側の部分が複数の前記絶縁電線の前記延出部分を覆う、コネクタ付電線。
【請求項６】
請求項５のコネクタ付電線であって、
前記屋根部の前記足部が形成されている側とは反対側の面は、前記コネクタハウジングの前記先端側から前記基端側に向かう方向に関して、前記絶縁電線各々の前記延出部分に接近するように傾斜する傾斜面を有する、コネクタ付電線。
【請求項７】
請求項１から請求項６のいずれか１項のコネクタ付電線であって、
前記絶縁電線各々の前記延出部分が曲げられている、コネクタ付電線。
【発明の詳細な説明】
【技術分野】
【０００１】
この発明は、コネクタ付電線に関する。
【背景技術】
【０００２】
自動車などの車両に搭載されるワイヤハーネスにおいて、電線とその端部に接続されたコネクタとの隙間への液体の浸入を防ぐ防水構造が採用される場合がある。
【０００３】
例えば、特許文献１のコネクタ付電線では、電線の端末に接続された複数の端子金具が、雌ハウジング設けられたキャビティに後方から挿入されて収容される一方、雌ハウジングの後面にカバーが装着されている。そして、雌ハウジングの後面から引き出された電線がカバーで覆われている。カバーは本体カバーと蓋カバーとに二つ割りされ、ヒンジにより開閉可能に連結されている。本体カバーは、雌ハウジングの後面に取り付けられる。一束にまとめられた複数の電線が直角に曲げられて本体カバー内に嵌められる。その状態で、蓋カバーが本体カバーの上面に合わせられ、所定のロック構造を介して合体状態とされる。
【先行技術文献】
【特許文献】
【０００４】
【特許文献１】特開２００４−１２７８１３号公報
【発明の概要】
【発明が解決しようとする課題】
【０００５】
しかしながら、特許文献１のコネクタ付電線の場合、雌ハウジングにカバーを取付ける構造を設ける必要があり、製造コストが高くなる問題があった。また、コネクタの取付位置によっては、コネクタハウジングの後面に十分なスペースが確保できないことにより、カバーの取り付け作業が困難な場合もあった。
【０００６】
本発明は、コネクタと絶縁電線との隙間に液体が侵入することを低コストかつ容易に低減する技術を提供することを目的とする。
【課題を解決するための手段】
【０００７】
第１態様は、絶縁電線及びその絶縁電線の端部に取付けられた端子金具を含む複数の端子付電線と、先端側からその反対の基端側に向けて貫通する空間であって、前記端子付電線各々の前記端子金具を内側に収容する端子収容室が形成されたコネクタハウジングと、前記コネクタハウジングから延び出る複数の前記絶縁電線における延出部分の周囲のうち一部を覆う屋根部、及び、基端部が当該屋根部における複数の前記絶縁電線の前記延出部分に対向する面に連結された１つ以上の足部を備えるカバー部材と、を備え、前記１つ以上の足部のうち少なくとも一部が、前記コネクタハウジングから延び出る複数の前記絶縁電線の間に通されている。
【０００８】
第２態様は、第１態様のコネクタ付電線であって、前記カバー部材は、前記足部を相互に間隔をあけて複数有する。
【０００９】
第３態様は、第２態様のコネクタ付電線であって、前記足部各々が、互いに接近又は離隔する方向に弾性変形可能である。
【００１０】
第４態様は、第１態様から第３態様のいずれか１つのコネクタ付電線であって、前記足部の先端部が中間部よりも細い。
【００１１】
第５態様は、第１態様から第４態様のいずれか１つのコネクタ付電線であって、前記カバー部材の前記屋根部は、一端側の部分が前記コネクタハウジングのうち少なくとも一部を覆い、他端側の部分が複数の前記絶縁電線の前記延出部分を覆う。
【００１２】
第６態様は、第５態様のコネクタ付電線であって、前記屋根部の前記足部が形成されている側とは反対側の面は、前記コネクタハウジングの前記先端側から前記基端側に向かう方向に関して、前記絶縁電線各々の前記延出部分に接近するように傾斜する傾斜面を有する。
【００１３】
第７態様は、第１態様から第６態様のいずれか１つのコネクタ付電線であって、前記絶縁電線各々の前記延出部分が曲げられている。
【発明の効果】
【００１４】
第１態様のコネクタ付電線によると、コネクタハウジングから延び出る絶縁電線の延出部分の周囲の一部が、カバー部材の屋根部に覆われるため、その延出部分に液体が付着することを低減できる。したがって、絶縁電線とコネクタハウジングの隙間から、端子収容室内に液体が浸入することを低減できる。カバー部材は、その１つ以上の足部が複数の絶縁電線の隙間に差し込まれることで、複数の絶縁電線に取付けされる。すなわち、コネクタの配置位置によって、コネクタハウジングの基端側のスペースが小さい場合にも、容易にカバー部材を取付けできる。
【００１５】
第２態様のコネクタ付電線によると、複数の足部を介してカバー部材が複数の絶縁電線に差し込まれることで、カバー部材の姿勢を安定化できる。
【００１６】
第３態様のコネクタ付電線によると、複数の足部各々が弾性変形するため、複数の絶縁電線の隙間の位置に合わせて、足部を弾性変形させつつ各隙間に差し込むことができる。
【００１７】
第４態様のコネクタ付電線によると、足部の先端部を細くすることによって、絶縁電線間への足部の差し込みが容易となる。
【００１８】
第５態様のコネクタ付電線によると、コネクタハウジングまで覆うことができるため、液体がコネクタハウジング内に進入することを低減できる。
【００１９】
第６態様のコネクタ付電線によると、傾斜面に液体が付着した際に、コネクタ本体側である屋根部の一端側から、絶縁電線側である他端側に移動できる。したがって、コネクタハウジングの接続相手側に液体が移動することを低減できる。
【００２０】
第７態様のコネクタ付電線によると、絶縁電線が延出部分で曲げられているため、端子収容室の絶縁電線が延び出る出口部分と、その絶縁電線との大きな隙間が形成されるおそれがある。この曲げられている延出部分を、容易に取付け可能なカバー部材の屋根部で覆うことで、端子収容室内への液体の侵入を抑制できる。
【図面の簡単な説明】
【００２１】
【図１】第１実施形態のコネクタ付電線１００の主要部の概略斜視図である。
【図２】第１実施形態のコネクタ付電線１００の主要部の概略斜視図である。
【図３】第１実施形態のコネクタ付電線１００の主要部の概略上面図である。
【図４】第１実施形態のコネクタ付電線１００の主要部の概略側面図である。
【図５】第１実施形態の端子付電線１０の主要部の概略斜視図である。
【図６】第２実施形態のカバー部材３０ａの概略正面図である。
【図７】第３実施形態のカバー部材３０ｂの概略正面図である。
【発明を実施するための形態】
【００２２】
以下、添付の図面を参照しながら、本発明の実施形態について説明する。なお、この実施形態に記載されている構成要素はあくまでも例示であり、本発明の範囲をそれらのみに限定する趣旨のものではない。図面においては、理解容易のため、必要に応じて各部の寸法や数が誇張又は簡略化して図示されている場合がある。
【００２３】
＜１．  第１実施形態＞
図１及び図２は、第１実施形態のコネクタ付電線１００の主要部の概略斜視図である。なお、図１は、カバー部材３０が装着された状態のコネクタ付電線１００を示しており、図２は、３０が外された状態のコネクタ付電線１００を示す図である。図３は、第１実施形態のコネクタ付電線１００の主要部の概略上面図である。図４は、第１実施形態のコネクタ付電線１００の主要部の概略側面図である。図５は、第１実施形態の端子付電線１０の主要部の概略斜視図である。
【００２４】
コネクタ付電線１００は、端子付電線１０と、コネクタハウジング２０と、カバー部材３０とを備える。
【００２５】
＜端子付電線＞
端子付電線１０は、絶縁電線１２と、端子金具１４とを備える。図３が示すように、端子金具１４は、絶縁電線１２の端部に取付けられている。
【００２６】
＜絶縁電線＞
絶縁電線１２は、長尺の導体である芯線１２０及び芯線１２０の周囲を覆う絶縁体である絶縁被覆１２２を有する。芯線１２０は、銅又はアルミニウムを主成分とする素線が撚り合わされた撚線か、あるいは、単線とされる。絶縁電線１２の端部は、芯線１２０の周囲から一定の長さの絶縁被覆１２２を剥ぎ取ることによって、芯線１２０が外部に露出した状態とされている。
【００２７】
＜端子金具＞
端子金具１４は、一方向に沿って形成された被覆圧着部１４０、芯線圧着部１４２、接点部１４４を備える。
【００２８】
端子金具１４は、金属の板材を打ち抜き加工及び折り曲げ加工することで得られる部材である。端子金具１４を構成する板材は、銅又は銅合金など、銅を主成分とする金属材料とされる。端子金具１４の板材の表面が、錫（Ｓｎ）もしくは錫に銀（Ａｇ）、銅（Ｃｕ）、ビスマス（Ｂｉ）などが添加された錫合金など、錫を主成分とする金属材料でメッキされていてもよい。
【００２９】
被覆圧着部１４０は、曲がった板状に形成された部分であり、底板部から起立する一対の圧着片を有している。一対の圧着片が絶縁電線１２の絶縁被覆１２２の端部にかしめ圧着されることで、端子金具１４が絶縁電線１２に接続される。なお、被覆圧着部１４０は必須ではなく、省略されてもよい。
【００３０】
芯線圧着部１４２は、曲がった板状に形成された部分であり、底板部から起立する一対の圧着片を有する。その一対の圧着片は、絶縁被覆１２２から露出した芯線１２０の先端部にかしめ圧着されることで、端子金具１４が絶縁電線１２に機械的及び電気的に接続される。なお、端子金具１４と絶縁電線１２との電気的な接続は、超音波溶接、抵抗溶接、又は、半田付けなどによって実現されていてもよい。
【００３１】
接点部１４４は、相手側端子に直接接触することで、相手側端子に電気的に接続される部分である。接点部１４４は、ここでは、四角筒状に形成されており、先端側から相手側端子であるピン状のオス型端子が挿入可能とされている。
【００３２】
＜コネクタハウジング＞
コネクタハウジング２０は、略直方体状に形成された非導電性の部材であり、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）、ポリブチレンテレフタレート（ＰＢＴ）又はＡＢＳ樹脂などの絶縁性の樹脂材料で一体成型されている。
【００３３】
コネクタハウジング２０には、先端側（相手側コネクタ部材９０に接続される前面側）から基端側（先端側とは反対の後面側）に貫通する端子収容室（「キャビティ」とも称される。）２２が少なくとも１つ（図示の例では８つ）形成されている。端子収容室２２は、絶縁電線１２の先端部に取付けられた端子金具１４を内側に収容する空間である。
【００３４】
端子収容室２２には、端子金具１４の基端側から端子金具１４が挿入される。端子収容室２２各々の内部には、端子金具１４を抜止め係止可能な係止構造としてランスなどが設けられており、端子金具１４が端子収容室２２内に挿入されると、ランスなどが端子金具１４に抜止め係止することで、当該端子金具１４が端子収容室２２内に保持される。そして、端子金具１４の基端側では、端子収容室２２各々の開口から絶縁電線１２が延び出ている。
【００３５】
コネクタハウジング２０の基端側から延び出た絶縁電線１２各々は、コネクタハウジング２０から延び出た部分である絶縁電線１２の延出部分１２４で、同一の方向に曲げられている。本例では、絶縁電線１２各々は、端子収容室２２の長手方向（端子金具１４の長手方向）に対して直交する方向に延ばされている。複数の絶縁電線１２は、例えば、不図示の結束部材（テープ、結束バンドなど）で束ねられている。なお、カバー部材３０の屋根部３２、又は、複数の足部３４の一部（例えば、一端に配された足部３４）に結束部材の一部を固定して、結束部材を介してカバー部材３０を複数の絶縁電線１２に固定してもよい。
【００３６】
＜カバー部材＞
カバー部材３０は、屋根部３２と、１つ以上の足部３４を備える。カバー部材３０は、樹脂材料又は金属材料などで一体成型された部材としてもよいし、あるいは、屋根部３２及び１つ以上の足部３４が別部材で構成されていてもよい。
【００３７】
屋根部３２は、コネクタハウジング２０から延び出る複数の絶縁電線１２における延出部分１２４の周囲のうち一部を覆う板状部分である。
【００３８】
カバー部材３０は、液体が絶縁電線１２の延出部分１２４に付着することを低減し、端子収容室２２内に液体が浸入することを抑制する。例えば、端子付電線１０において、絶縁電線１２の芯線１２０がアルミニウム線であり、端子金具１４が銅を主成分とする場合、芯線１２０及び端子金具１４の芯線圧着部１４２に雨水又は結露水などの電解液が付着したとき、異種金属接触腐食によって芯線１２０が腐食するおそれがある。この異種金属接触腐食の発生を、カバー部材３０を取付けることによって低減することができる。
【００３９】
足部３４は、長尺の棒状に形成された部分である。足部３４の基端部は、屋根部３２における複数の絶縁電線１２の延出部分１２４に対向する側に連結されている。
【００４０】
足部３４は、１つ以上設けられておればよいが、好ましくは複数設けられる。本実施形態では、５つの足部３４が、相互に間隔をあけて一列に設けられている。
【００４１】
図１が示すように、足部３４各々の中間部は、コネクタハウジング２０の基端部から延び出る絶縁電線１２のうち、隣接する２本の絶縁電線１２，１２に挟み持たれている。なお、必ずしも全部の足部３４の各々が絶縁電線１２，１２に挟み持たれていることは必須ではなく、一部の足部３４のみが絶縁電線１２，１２に挟み持たれておればよい。すなわち、５つの足部３４のうち、１つ以上の足部３４が一対の絶縁電線１２，１２に挟み持たれておればよい。
【００４２】
図４が示すように、屋根部３２の一端側の部分は、コネクタハウジング２０の基端部を覆っており、屋根部３２の他端側の部分は、複数の絶縁電線１２の延出部分１２４各々を覆っている。すなわち、屋根部３２は、コネクタハウジング２０の基端部から、コネクタハウジング２０から延び出る絶縁電線１２の延出部分１２４までの領域を覆っている。このため、液体が、コネクタハウジング２０の基端側の端子収容室２２の開口を通じて端子収容室２２内に侵入することを低減できる。
【００４３】
屋根部３２は、互いに対向しており、他よりも面積が大きい２つの主面３２０，３２２を有する。主面３２０は、複数の足部３４が所定の間隔を隔てて連結されている面であって、かつ、コネクタハウジング２０から延び出る絶縁電線１２の延出部分１２４と向き合う面となっている。
【００４４】
図４が示すように、屋根部３２の主面３２２は、コネクタハウジング２０の先端側から基端側に向けて、複数の絶縁電線１２に接近する方向に傾斜している。ここでは、屋根部３２は、対向する主面３２０，３２２が平行な板状に形成されている。このため、屋根部３２全体が、斜めに傾斜している。屋根部３２の主面３２２は、足部３４の長手方向に対して直交でない角度で交差する面をなしている。
【００４５】
このように主面３２２を傾斜させることによって、コネクタハウジング２０が相手側コネクタ部材９０に接続された状態において、液体が屋根部３２の主面３２２に付着した場合、その液体が、屋根部３２の一端側、すなわち、コネクタハウジング２０側に移動することを抑制できる。このため、屋根部３２に付着した液体が、コネクタハウジング２０の接続相手である相手側コネクタ部材９０、さらには、接続相手である電気機器本体などに向けて移動することを抑制できる。
【００４６】
図１などが示すように、屋根部３２のコネクタハウジング２０側の端縁部に、主面３２２から起立する壁部３２４を設けてもよい。壁部３２４は、例えば、コネクタハウジング２０の幅方向に対応する方向に延ばせばよい。壁部３２４を設けることによって、屋根部３２の主面３２２に付着した液体をその壁部３２４で受け止めることができる。このため、液体が屋根部３２を越えてコネクタハウジング２０側に移動することを抑制できる。なお、壁部３２４が主面３２２に対して起立する方向は、任意に定め得る。例えば、主面３２２に対して壁部３２４を垂直に起立させてもよいし、垂直でない方向に起立させてもよい。
【００４７】
なお、屋根部３２の主面３２２が、端子収容室２２の長手方向に対して傾斜することは必須ではなく、例えば、端子収容室２２の長手方向と平行であってもよい。この場合、屋根部３２に付着した液体がコネクタハウジング２０側に移動するおそれがある。主面３２２に壁部３２４を設けることによって、液体がコネクタハウジング２０側に移動することを抑制できる。
【００４８】
屋根部３２の主面３２２が平面であることは必須ではない。例えば、屋根部３２の主面３２２が凹状又は凸状に湾曲した面を含んでいてもよい。
【００４９】
屋根部３２の主面３２０，３２２が平行であることは必須ではない。例えば、屋根部３２を断面台形状として、主面３２０，３２２が非平行であるようにしてもよい。
【００５０】
足部３４は、好ましくは、弾性変形可能に形成されている。例えば、足部３４を屋根部３２よりも柔軟性を有するように構成することが考えられる。例えば、複数の足部３４は、互いに接近又は離隔する方向に変形するとよい。これによって、コネクタハウジング２０から延び出る複数の絶縁電線１２の延出部分１２４同士の隙間の位置に合わせて足部３４を弾性変形させて、足部３４をその隙間に差し込むことができる。例えば、絶縁電線１２の外径が、変形前の自然状態における２つの足部３４，３４の間隔よりも大きい場合、足部３４，３４が弾性的に広がることで、絶縁電線１２を挟み込むことができる。絶縁電線１２の外径が足部３４，３４の間隔よりも小さい場合であっても、足部３４，３４の間に複数の絶縁電線１２を挟み込むことが可能である。なお、足部３４各々が弾性変形可能に形成されていることは必須ではない。
【００５１】
好ましくは、足部３４の先端部は、先端部から基端側に寄った中間部よりも細くなるように形成されている。ここでは、足部３４は、その基端部から先端部にかけて次第に細くなる先細り状に形成されている。このように足部３４の先端部を細くすることによって、その足部３４の先端部を延出部分１２４，１２４の隙間に差し込みやすくなる。これによって、カバー部材３０を複数の絶縁電線１２への取付けが容易となる。なお、足部３４の先端部を細くすることは必須ではない。例えば、足部３４が均一な太さを有する棒状に形成されていてもよい。
【００５２】
屋根部３２の側部において、絶縁電線１２の延在方向に対応する方向に張り出す舌状に形成された板部３２６を設け、複数の絶縁電線１２とともにその板部３２６をテープ３５０で巻付けてもよい。これによって、複数の絶縁電線１２をカバー部材３０に連結できる。なお、板部３２６の代わりに、棒状などの他の形状に形成された部分を設けてもよい。
【００５３】
＜効果＞
以上のように、コネクタ付電線１００を採用した場合、コネクタハウジング２０の基端部から延び出る複数の絶縁電線１２における延出部分１２４の周囲のうち一部が、カバー部材３０の屋根部３２で覆われる。このため、延出部分１２４に液体が付着することを屋根部３２によって低減できるため、コネクタハウジング２０の端子収容室２２内にその液体が侵入することを低減できる。カバー部材３０の足部３４を複数の絶縁電線１２の隙間に差し込むことで、そのカバー部材３０を取付けできる。このため、複数の絶縁電線１２とコネクタハウジング２０との接続部分を容易に防水できる。
【００５４】
複数の足部３４を複数の絶縁電線１２の隙間に差し込むことによって、カバー部材３０が絶縁電線１２に取付けられる。このため、コネクタハウジング２０の基端側のスペースが小さい場合であっても、カバー部材３０を容易に取付けできる。
【００５５】
特に、絶縁電線１２が曲げられていることで、絶縁電線１２と端子収容室２２の壁部との間に大きな隙間が形成される可能性があり、その隙間を通じて、端子収容室２２内に液体が侵入してしまうおそれがある。コネクタ付電線１００においては、この隙間が形成されやすい端子収容室２２の端部を、容易に取付け可能なカバー部材３０で覆うことができる。このため、高い防水効果を容易に得ることができる。
【００５６】
カバー部材３０は、絶縁電線１２に取付ける構造を有するため、コネクタハウジング２０にカバー部材３０を取付けるための構造を設ける必要がなく、コストを抑制できる。カバー部材３０が形状の異なる様々なコネクタハウジングに適用可能であるため、部品共通化による低コスト化を図ることができる。
【００５７】
＜２．  第２実施形態＞
次に、第２実施形態について説明する。なお、以降の説明において、既に説明した要素と同様の機能を有する要素については、同じ符号又はアルファベット文字を追加した符号を付して、詳細な説明を省略する場合がある。
【００５８】
図６は、第２実施形態のカバー部材３０ａの概略正面図である。カバー部材３０ａは、屋根部３２と複数の足部３４ａを備えている。複数の足部３４ａは、直線状に延びる１つの長尺状の基部３６に間隔を開けて設けられており、その基部３６は屋根部３２の一方側の主面３２０に設けられている。
【００５９】
複数の足部３４ａは、カバー部材３０における複数の足部３４の間隔よりも狭い間隔で形成されている。又、足部３４ａの太さは、その長手方向に渡って足部３４よりも細く、より弾性変形しやすくなっている。
【００６０】
足部３４ａが図１〜図４に示されるコネクタハウジング２０と複数の絶縁電線１２の接続部分に取付けられる場合、隣接する絶縁電線１２の延出部分１２４同士の隙間に、複数の足部３４ａが差し込まれる。そして、隣接する足部３４ａ，３４ａの間に１つ以上の延出部分１２４が挟み込まれることによって、カバー部材３０ａがコネクタハウジング２０及び複数の絶縁電線１２の接続部分に取付けられる。
【００６１】
カバー部材３０ａを採用した場合においても、カバー部材３０を採用した場合と同様に、コネクタハウジング２０及び複数の絶縁電線１２の接続部分の防水を簡単な構成で実現できる。
【００６２】
＜３．  第３実施形態＞
次に、第３実施形態について説明する。図７は、第３実施形態のカバー部材３０ｂの概略正面図である。カバー部材３０ｂは、屋根部３２と、複数の足部３４ｂを備えている。複数の足部３４ｂは、本例では板状に形成されている。隣接する足部３４ｂ，３４ｂ間の隙間は、足部３４ｂの幅よりも小さい。複数の足部３４ｂのうち少なくとも一部が絶縁電線１２の隙間に差し込まれることで、カバー部材３０ｂが複数の絶縁電線１２に取付けられる。
【００６３】
カバー部材３０ｂは、例えばコネクタハウジング２０が延び出る絶縁電線１２が細い場合に好適である。すなわち、比較的細い絶縁電線１２を足部３４ｂ，３４ｂ間で挟み込むことで、カバー部材３０ｂが複数の絶縁電線１２に取付けられる。
【００６４】
この発明は詳細に説明されたが、上記の説明は、すべての局面において、例示であって、この発明がそれに限定されるものではない。例示されていない無数の変形例が、この発明の範囲から外れることなく想定され得るものと解される。上記各実施形態及び各変形例で説明した各構成は、相互に矛盾しない限り適宜組み合わせたり、省略したりすることができる。
【符号の説明】
【００６５】
１０  端子付電線
１２  絶縁電線
１２４  延出部分
１４  端子金具
１４２  芯線圧着部
１４４  接点部
２０  コネクタハウジング
２２  端子収容室
３０，３０ａ，３０ｂ  カバー部材
３２  屋根部
３２０，３２２  主面
３４，３４ａ，３４ｂ  足部
３６  基部
１００  コネクタ付電線
【図１】
2017195128.tif 000003
【図２】
2017195128.tif 000004
【図３】
2017195128.tif 000005
【図４】
2017195128.tif 000006
【図５】
2017195128.tif 000007
【図６】
2017195128.tif 000008
【図７】
2017195128.tif 000009